(57)【要約】【課題】  被写体までの距離に応じて効果的に赤目現象を防止できるカメラを提供することを目的とする。【解決手段】    光源と、この光源を駆動制御する制御手段と、カメラ本体から被写体までの距離を測定する測定手段とを有し、前記制御手段は、前記測定手段の測定結果に応じて、前記光源の点灯及び非点灯を制御することを特徴とするカメラ。【選択図】  図１
2005134720.tif 000002
【特許請求の範囲】
【請求項１】
赤目緩和効果を得る為の光源を有するカメラにおいて、
被写体距離が所定値以上の場合は、前記光源は点灯動作を行い、
所定値以下の場合は、前記光源は点灯中に一端消灯期間を設ける動作を行うカメラ。
【請求項２】
前記所定値は、電池電圧により可変可能であることを特徴とする請求項１記載のカメラ。
【請求項３】
光源と、
この光源を駆動制御する制御手段と、
カメラ本体から被写体までの距離を測定する測定手段とを有し、
前記制御手段は、前記測定手段の測定結果に応じて、前記光源の点灯及び非点灯を制御することを特徴とするカメラ。
【発明の詳細な説明】
【技術分野】
【０００１】
本発明は、ストロボ撮影の際の赤目現象を緩和させることのできる赤目緩和機能付カメラの改良に関するものである。
【背景技術】
【０００２】
従来、被写体周辺の照度が低下している場合にストロボ撮影を行うと、人或は動物の目が赤色に光っている所謂赤目現象が発生していた。この赤目現象の発生する原因としては、ストロボ光が眼の瞳孔を介して網膜面で極端に反射され、その際に網膜面内の血液の色が赤色である為にフィルム面上に赤色に写ってしまうと考えられている。
【０００３】
この赤目現象は、上述したようにストロボ撮影の際に発生するが、特に以下の条件の時に発生し易いことが知られている。
１）被写体周辺が暗く、瞳孔が開いている場合
２）ストロボ装置の発光部と撮影レンズの光軸までの距離が近い場合
３）被写体の眼の焦点がずれている場合（横を向いている場合、或はカメラ以外の者に注目している場合）
この赤目現象の対策として、特許文献１には、ストロボ撮影に先立って被写体を予備照射して人間の瞳孔の開口度を小さくしておき、瞳孔がほぼ最小になった時点で撮影の為のストロボ発光を行うことにより、ストロボ撮影における赤目を緩和させる技術が開示されている。
【０００４】
また、特許文献２には、被写体までの距離に応じて予備発光の光量を調整することにより、被写体距離に対応した赤目防止に最適な光量を照射することができる技術が開示されている。
【特許文献１】特公昭５８−４８０８８号公報
【特許文献２】特開２００１−１７４８８４号公報
【発明の開示】
【発明が解決しようとする課題】
【０００５】
しかしながら、特許文献１では、被写体距離に応じた予備照射は行われないので、あらゆる被写体距離において最善の赤目緩和効果が得られるというわけではない。
【０００６】
また、特許文献２においても、近距離では発光量を減少させることになるので、近距離ではむしろ赤目の発生確率を増やすことになる。
【０００７】
これを解決するためには、赤目緩和ランプの輝度を上げて、常に瞳孔を小さくすることができればよいが、赤目緩和ランプの輝度には限界がある。本発明は、コストをかけずに被写体距離に応じた赤目緩和効果の高い照射方式を提供するものである。
【課題を解決するための手段】
【０００８】
上記課題を解決するため、本発明は、赤目緩和効果を得る為の光源を有するカメラにおいて、
被写体距離が所定値以上の場合は、前記光源は点灯動作を行い、所定値以下の場合は、前記光源は点灯中に一端消灯期間を設ける動作を行うカメラを提供する。これにより、被写体距離に応じた赤目緩和効果を得ることができる。
【０００９】
さらに本発明では電池電圧に応じて上記の被写体距離の所定値が可変可能であるカメラを提供する。これにより、各電池電圧で被写体距離に応じた赤目緩和効果を得ることができる。
【００１０】
光源と、この光源を駆動制御する制御手段と、カメラ本体から被写体までの距離を測定する測定手段とを有し、前記制御手段は、前記測定手段の測定結果に応じて、前記光源の点灯及び非点灯を制御することを特徴とするカメラ。
【発明の効果】
【００１１】
以上説明したように、本発明は、赤目緩和効果を得る為の光源を有するカメラにおいて、
被写体距離が所定値以上の場合は、前記光源は点灯動作を行い、
所定値以下の場合は、前記光源は点灯中に一端消灯期間を設ける動作を行うカメラにより、被写体距離に応じた赤目緩和効果を得ることができる。
【００１２】
さらに本発明では電池電圧に応じて上記被写体距離の所定値が可変可能であるカメラにより、各電池電圧で被写体距離に応じた赤目緩和効果を得ることができる。
【発明を実施するための最良の形態】
【００１３】
以下に本発明の実施例について説明する。
図１に本発明の実施例のカメラのブロック図を示す。
【００１４】
（１０５）は制御ＩＣで、カメラの測光、測距、レンズ駆動、フィルム給送、ストロボ充電等のカメラシーケンスの制御を行う。（１０５ａ）はマイコンで、制御ＩＣ内の記憶手段ＲＡＭを有しカメラシーケンスの制御を行い、（１０２）はシャッター駆動手段で、シャッターの駆動を行い、（１０３）は赤目緩和ランプ駆動回路で、赤目現象を緩和するために用いられる赤目緩和ランプ（１０４）を駆動する駆動回路である。
【００１５】
（１１２）はストロボ回路で、図示せぬ主コンデンサへのストロボ充電，図示せぬキセノン管への発光制御を行う。（１１３）は測光手段で、被写体輝度を検出する。（１１４）は測距手段で、被写体までの距離を検出する。
【００１６】
（１１５）はレンズ駆動手段で、測距手段（１１４）からの検出結果をもとに撮影レンズの駆動を行いフィルム面に被写体ピントを合わせる、（１１６）はフィルム給送手段で、フィルムのオートローディング、巻き上げ、巻戻しを行う、（１１７）は、カメラを撮影準備状態にするＭＡＩＮＳＷ、（１１８）はＳＷ１で、シャッター釦の第１ストロークでカメラ内の電気回路を起動させ測光、及び測距等の検出を行う、（１１９）はＳＷ２で、シャッター釦の第２ストロークで、前記ＳＷ１以後の撮影シーケンスの起動信号となる。
【００１７】
次に図２及び図３のフローチャートをもとにカメラの動作を説明する。まず、図２にてＭＡＩＮＳＷ（１１７）、オン時のシーケンスを説明する。
【００１８】
ステップ（Ｓ４０１）でＭＡＩＮＳＷ（１１７）がオンしたか否かの検出を行う、ここでＭＡＩＮＳＷ（１１７）のオンを検出したらステップ（Ｓ４０２）カメラの電池電圧がカメラ動作が可能で有るか否かを検出するための、バッテリーチェック（以後ＢＣ）を行い、その結果をマイコン（１０５ａ）内ＲＡＭに記憶する。次にステップ（Ｓ４０３）でステップ(Ｓ４０２)にて行い、ＲＡＭに記憶しているＢＣ結果からカメラが動作可能な電圧であるか否かの判定を行い、動作可能電圧であったらステップ（Ｓ４０４）に、動作が不可能な電圧であったらステップ（Ｓ４０１）に進む。
【００１９】
次に、ステップ（Ｓ４０４）の被写体輝度検出の測光手段（１１３）による測光を行いマイコン（１０５ａ）内ＲＡＭに測光結果を記憶する。次にステップ（Ｓ４０５）でステップ（Ｓ４０４）にてマイコン（１０５ａ）内ＲＡＭの測光検出結果が撮影に際してストロボ発光を必要とする測光結果であるか否かを被写体輝度情報から判定する。
【００２０】
ここで、ストロボ発光を必要としない輝度でストロボ予備充電を必要としない場合には、ＭＡＩＮＳＷオンシーケンスを終了する。ステップ（Ｓ４０５）にてストロボが必要な輝度でストロボ予備充電が必要あったら、ステップ（Ｓ４０６）で公知のストロボ充電を行い、ストロボ充電が完了したらＭＡＩＮＳＷオンシーケンスを終了する。
【００２１】
次に、図３にてレリーズシーケンスの説明をする。ステップ（Ｓ１０１）で制御ＩＣ（１０５）内マイコン（１０５ａ）の初期設定を行う、次にステップ（Ｓ１０２）でレリーズＳＷの第１ストロークで有るＳＷ１（１１８）オンされたか否かの検出を行う。
【００２２】
次にステップ（Ｓ１０３）でＳＷ１（１１８）を検出したら、ステップ（Ｓ１０４）にてステップ（Ｓ４０２）と同様にカメラの電池電圧がカメラ動作が可能で有るか否かを検出するための、バッテリーチェック（以後ＢＣ）を行い、その電池電圧のＡ／Ｄの検出結果を、マイコン（１０５ａ）内ＲＡＭに記憶する。次にステップ（Ｓ１０５）でステップ(Ｓ１０４)にて行い、ＲＡＭに記憶しているＢＣ結果からカメラが動作可能な電圧であるか否かの判定を行い、動作可能電圧であったらステップ（Ｓ１０６）に、動作が不可能な電圧であったらステップ（Ｓ１０２）に進む。
【００２３】
次に、ステップ（Ｓ１０６）で測距手段（１１４）により被写体までの距離を検出しマイコン（１０５ａ）内ＲＡＭに測距結果を記憶する、次にステップ（Ｓ１０７）被写体輝度の検出を測光手段（１１３）により行い測距と同様にマイコン（１０５ａ）内ＲＡＭ（１０５ａ）に測光結果を記憶する。
【００２４】
次にステップ（Ｓ１０８）にてステップ（Ｓ１０７）で検出してマイコン（１０５ａ）内ＲＡＭに記憶している測光データをもとにストロボ充電が必要で有るか否かの判定を行う。この  ストロボの発光が必要な場合としては、撮影状況が暗い、或いは逆光等が有る。
【００２５】
ここでストロボ発光が必要であったらステップ（Ｓ１０９）に、必要なかったら（Ｓ１１７）に進みＳＷ２（１１９）のオンの待機状態になる、ステップ（Ｓ１０８）にてストロボ充電が必要でステップ（Ｓ１０９）のフラッシュモードに進んだら、公知のストロボ充電を行う。次にステップ（Ｓ１０９）のフラッシュモードで充電シーケンスが終了したら、ステップ（Ｓ１１０）の充電完了がしたか否かの判定をする。
【００２６】
この判定は、ステップ（Ｓ１０９）の充電シーケンスにて充電がＯＫになったか否かのフラグの結果であり充電がＯＫで完了していたら、ステップ（Ｓ１１１）に進む。また充電がＮＧで完了していなかったら、ステップ（１０２）のＳＷ１（１１８）の検出に戻る。
【００２７】
ここで、請求項記載の赤目緩和ランプ駆動について図４〜図７を用いて説明を行う。図４はランプ両端の電圧が2.7V、被写体距離2mでの実験結果を示している。縦軸が瞳孔径、横軸はランプ点灯開始からの経過時間である。図中、太実線は0.2secの一端消灯（図中一端消灯１）を行った時の瞳孔径、細実線は0.4secの一端消灯（図中一端消灯２）を行った時の瞳孔径、点線は点灯時の瞳孔径を示している。図７に消灯期間を設ける場合の具体的な動作を示す。
【００２８】
図４において、一端消灯１では0.5sec後にランプが消灯すると（図４1)のタイミング）、一端ゆっくりと瞳孔が戻り始めるが、次の点灯時に(図４2)のタイミング)では発光によるインパクトにより、点灯時よりも変化量が大きくなる。1.2sec後には、一端消灯１が点灯よりも瞳孔径が小さく、つまり高い赤目緩和効果が得られることがわかる。
【００２９】
一方、一端消灯２では、消灯期間が長いために（図４1)'から2)'のタイミング）、瞳孔の戻りが大きくなり点灯以下の赤目緩和効果になる。一端消灯２よりも、一端消灯１のように消灯時間を短くした動作の方が赤目緩和効果は高いことがわかる。以下では、一端消灯時間が短く赤目緩和効果のある一端消灯１と点灯との比較結果を示す。
【００３０】
図５はランプ両端の電圧が2.7Vの場合の被写体距離と瞳孔径の関係の実験結果を示している。この電圧は新品電池に相当する。赤目緩和ランプを点灯させた場合の瞳孔径を実線で、一端消灯期間を設けた場合（図中一端消灯１）の瞳孔径を点線で示す。
【００３１】
被写体距離2.5m以上では点灯が赤目緩和に効果があり、被写体距離2.5m以下では逆に一端消灯１が赤目緩和に効果がある。このことから、被写体距離2.5m以下では一端消灯１の方が発光光量は少ないにもかかわらず、被写体距離によっては赤目緩和に効果があることがわかる。
【００３２】
公知のAFの結果に応じて、被写体距離が2.5m以上では点灯、2.5m以下の場合は一端消灯１と切換えることで、赤目緩和の効果を最大限に出すことが可能となる。
【００３３】
また図６では、ランプ両端の電圧が1.7Vの場合の被写体距離と瞳孔径の関係の実験結果を示す。この電圧は電池電圧が降下した場合に相当する。同様に、赤目緩和ランプを点灯させた場合の瞳孔径を実線で、一端消灯期間を設けた場合（図中一端消灯１）の瞳孔径を点線で示す。
【００３４】
図６では、被写体距離1.5m以上では点灯が赤目緩和に効果があり、被写体距離1.5m以下では逆に一端消灯１が赤目緩和に効果があることがわかる。点灯と一端消灯１を切換える被写体距離を電池電圧に応じて変えることで、さらに赤目緩和効果を最大限に出すことができる。
【００３５】
再び図３のフローチャートに戻るが、ステップ（Ｓ１１１）で赤目モードがＯＮの場合は、ステップ（Ｓ１１２）に進み、ステップ（Ｓ１０６）において行った測距のマイコン（１０５ａ）内ＲＡＭに記憶している測距データが所定値以上の場合は、ステップ（Ｓ１１３）に進み、赤目緩和ランプ駆動手段（１０３）により、赤目緩和ランプ（１０４）を点灯させる。
【００３６】
上記説明したように、ステップ（Ｓ１０５）のバッテリチェック電圧の検出結果に応じて、測距データの所定値は異なる。次にステップ（Ｓ１１５）で1.2sec経過していない場合は、ステップ（Ｓ１１２）に戻り、ステップ（Ｓ１１３）、ステップ（Ｓ１１５）のステップを繰り返す。
【００３７】
ステップ（Ｓ１１５）で1.2sec経過すると、ステップ（Ｓ１１６）に進み、ＳＷ２（１１９）を検出するまでステップ（Ｓ１１２）、ステップ（Ｓ１１３）、ステップ（Ｓ１１５）のステップを繰り返す。ステップ（Ｓ１１６）でＳＷ２（１１９）のオンを検出したらステップ（Ｓ１１８）に進む。
【００３８】
一方、ステップ（Ｓ１１２）で測距データが所定値以下の場合は、ステップ（Ｓ１１４）に進み、赤目緩和ランプ駆動手段（１０３）により、赤目緩和ランプ（１０４）を一端消灯させる。次にステップ（Ｓ１１５）で1.2sec経過していない場合は、ステップ（Ｓ１１２）に戻り、ステップ（Ｓ１１４）、ステップ（Ｓ１１５）のステップを繰り返す。
【００３９】
ステップ（Ｓ１１５）で1.2sec経過すると、ステップ（Ｓ１１６）に進み、ＳＷ２（１１９）を検出するまでステップ（Ｓ１１２）、ステップ（Ｓ１１４）、ステップ（Ｓ１１５）のステップを繰り返す。ステップ（Ｓ１１６）でＳＷ２（１１９）のオンを検出したらステップ（Ｓ１１８）に進む。
【００４０】
ステップ（Ｓ１１７）でＳＷ２の待機状態からＳＷ２（１１９）のオンを検出したらステップ（Ｓ１１８）に進む。次にステップ（Ｓ１１８）で、ステップ（Ｓ１０６）において行った測距のマイコン（１０５ａ）内ＲＡＭに記憶している測距データに従い、レンズ駆動手段（１１５）により撮影レンズの駆動制御を行う。
【００４１】
次に、ステップ（Ｓ１１９）に進みステップ（Ｓ１０７）にて行った測光のマイコン（１０５ａ）内ＲＡＭに記憶している測光データに従い、ストロボ発光が必要であったら制御ＩＣ（１０５）からのトリガー信号をトリガー回路（１１０）が発光信号を出力し、ストロボ発光を行うとともに、シャッター駆動手段（１０２）によるシャッター駆動制御を行う。
【００４２】
次にステップ（Ｓ１２０）で焦点位置にあるレンズをレンズの初期位置に戻すレンズリセットを行う、次にステップ（Ｓ１２１）でフィルム駆動手段（１１６）により次の撮影駒へのフィルム給送制御を行い、次にステップ（Ｓ１２２）にてストロボ予備充電を行うか否かの判定を行う。
【００４３】
ここでストロボ予備充電を行わない場合は、ステップ（Ｓ１１７）にて行った測光結果をもとにステップ（Ｓ１０８）にて判定した結果がストロボ発光撮影モードがストロボ発光撮影モードで無い場合である。
【００４４】
また、ストロボ予備充電を行う場合は、ステップ（Ｓ１０７）にて行った測光結果をもとにステップ（Ｓ１０８）にて判定した結果がストロボ発光撮影モードであった場合である。ここで、ステップ（Ｓ１２２）の結果がストロボ予備充電を行わない場合は、ステップ（Ｓ１０２）のＳＷ１（１１９）の検出に戻る。
【００４５】
またステップ（Ｓ１２２）の結果がストロボ予備充電を行う場合には、ステップ（Ｓ１２３）に進む。ステップ（Ｓ１２３）でステップ（Ｓ４０６）と同様の公知のストロボ充電を行い、ステップ（Ｓ１２３）の充電が終了したら一連のカメラシーケンス終了し、ステップ（Ｓ１０２）のＳＷ１（１１９）の検出に戻る。
【図面の簡単な説明】
【００４６】
【図１】本発明の実施形態の回路及びブロック図
【図２】本発明の実施形態のカメラ動作のフローチャート１
【図３】本発明の実施形態の昇圧回路のタイミングチャート
【図４】本発明の実施形態を説明するための図
【図５】本発明の実施形態を説明するための図
【図６】本発明の実施形態を説明するための図
【図７】本発明の実施形態を説明するための図
【符号の説明】
【００４７】
１０１  電池
１０３  赤目緩和ランプ駆動回路
１０４  赤目緩和ランプ
１０５  制御ＩＣ
１１４  測距手段
【図１】
2005134720.tif 000003
【図２】
2005134720.tif 000004
【図３】
2005134720.tif 000005
【図４】
2005134720.tif 000006
【図５】
2005134720.tif 000007
【図６】
2005134720.tif 000008
【図７】
2005134720.tif 000009